(57)【要約】      （修正有）【課題】キャップを開閉する動作で、簡単に塗布具を伸縮させることができ、収納時は小さく、使用時には十分な長さに変化させることができる化粧料容器を提供する。【解決手段】キャップ３を閉める方向に回転させると、容器本体２と塗布具５とがネジ係合され、上記塗布具が縮む方向に上記キャップ部が移動し、上記キャップを外す方向に回転させると、上記塗布具が伸びる方向に上記キャップ部が移動し、上記容器本体と上記塗布具のネジ係合が解除される。【選択図】図１
2010088516.tif 000002
【特許請求の範囲】
【請求項１】
化粧料を収容する筒状の容器本体と、上記容器本体とネジ係合するキャップから構成され、
上記キャップは、キャップ部と、上記キャップ部と上下に移動可能に係合する塗布具からなり、
上記塗布具は、円形の底部と、上記底部から延伸する軸部と、上記軸部の先に設けられた塗布部と、上記底部の周囲と一体成形された円筒形状の係合部とからなり、上記係合部の外面には、上記キャップ部の内面に螺旋状に設けられた溝と係合する突起が形成され、内面には上記容器本体の外面に設けられたネジと係合するネジが形成されており、
上記キャップを閉める方向に回転させると、上記容器本体と上記塗布具とがネジ係合され、上記塗布具が縮む方向に上記キャップ部が移動し、
上記キャップを外す方向に回転させると、上記塗布具が伸びる方向に上記キャップ部が移動し、上記容器本体と上記塗布具のネジ係合が解除されることを特徴とする化粧料容器。
【請求項２】
上記キャップ部の内面に突起部を設け、上記突起部と係合しロックされる突起部を、上記塗布具の係合部の外面と、上記容器本体に設け、上記キャップを閉めている時は上記キャップ部の突起部と上記容器本体の突起部が係合してロックされ、上記キャップを外している時は上記キャップ部の突起部と上記塗布具の突起部が係合してロックされることを特徴とする請求項１に記載の化粧料容器。
【請求項３】
上記容器本体に設けられた開口部にしごき部を設けたことを特徴とする請求項１または２に記載の化粧料容器。
【請求項４】
上記容器本体に設けられた開口部に複数の孔を設けた中蓋を設けたことを特徴とする請求項１または２に記載の化粧料容器。
【発明の詳細な説明】
【技術分野】
【０００１】
本発明は、塗布具がキャップに内蔵されている化粧料容器に関する。
【背景技術】
【０００２】
従来の塗布具がキャップに内蔵されている化粧料容器として、様々な形状のものが用いられている。最も簡単で一般的な構造としては、キャップと塗布具が一体に構成され、キャップを閉めると共に塗布具が容器に納められ、その先端が容器に収納された化粧料に浸された状態となり、キャップを開けて塗布具の先端に付着した化粧料で化粧するものが用いられている。
【０００３】
このような化粧料容器の使い勝手を向上させるために、塗布具の先端であるブラシ棒を昇降可能にした化粧品容器（特許文献１参照）、あるいは、ブラシ毛材の長さを変化させることができる液塗布具（特許文献２参照）等がある。
【特許文献１】特表２００４−５１３６９３号公報
【特許文献２】特開２００７−２３６４５６号公報
【発明の開示】
【発明が解決しようとする課題】
【０００４】
しかしながら、上述のような従来の化粧料容器は、幾つかの問題点があった。例えば、単に、キャップと塗布具を一体としたものは、容器に塗布具を納める構造であることから、塗布具の長さは容器の大きさに制限され、化粧料容器全体を持ち運びに便利なようにコンパクトにすると、塗布具も小さくなり使い勝手が悪化するという問題があった。先端のブラシ等の長さを変えることが可能な構造を用いたとしても、塗布具の長さが少し変化するだけであり、大きく長さを変えることはできなかった。
【０００５】
そこで、本発明は上記問題を解決するために、キャップを開閉する動作で、簡単に塗布具を伸縮させることができ、塗布具を収納時は小さく使用時には十分な長さに変化させることができる化粧料容器を提供することを目的とする。
【課題を解決するための手段】
【０００６】
本発明の化粧料容器は、化粧料を収容する筒状の容器本体と、上記容器本体とネジ係合するキャップから構成され、上記キャップは、キャップ部と、上記キャップ部と上下に移動可能に係合する塗布具からなり、上記塗布具は、円形の底部と、上記底部から延伸する軸部と、上記軸部の先に設けられた塗布部と、上記底部の周囲と一体成形された円筒形状の係合部とからなり、上記係合部の外面には、上記塗布具の内面に螺旋状に設けられた溝と係合する突起が形成され、内面には上記キャップの外面に設けられたネジと係合するネジが形成されており、上記キャップを閉める方向に回転させると、上記容器本体と上記塗布具とがネジ係合され、上記塗布具が縮む方向に上記キャップ部が移動し、上記キャップを外す方向に回転させると、上記塗布具が伸びる方向に上記キャップ部が移動し、上記容器本体と上記塗布具のネジ係合が解除されることを特徴とする。
【０００７】
さらに、上記キャップ部の内面に突起部を設け、上記突起部と係合しロックされる突起部を、上記塗布具の係合部の外面と、上記容器本体に設け、上記キャップを閉めている時は上記キャップ部の突起部と上記容器本体の突起部が係合してロックされ、上記キャップを外している時は上記キャップ部の突起部と上記塗布具の突起部が係合してロックするようにする。
【０００８】
また、上記容器本体に設けられた開口部に、しごき部あるいは、複数の孔を設けた中蓋を設ける。
【発明の効果】
【０００９】
本発明の化粧料容器は、化粧料を収容する筒状の容器本体と、上記容器本体とネジ係合するキャップから構成され、上記キャップは、キャップ部と、上記キャップ部と上下に移動可能に係合する塗布具からなり、上記塗布具は、円形の底部と、上記底部から延伸する軸部と、上記軸部の先に設けられた塗布部と、上記底部の周囲と一体成形された円筒形状の係合部とからなり、上記係合部の外面には、上記塗布具の内面に螺旋状に設けられた溝と係合する突起が形成され、内面には上記キャップの外面に設けられたネジと係合するネジが形成されており、上記キャップを閉める方向に回転させると、上記容器本体と上記塗布具とがネジ係合され、上記塗布具が縮む方向に上記キャップ部が移動し、上記キャップを外す方向に回転させると、上記塗布具が伸びる方向に上記キャップ部が移動し、上記容器本体と上記塗布具のネジ係合が解除されることによって、キャップを閉めたときはキャップ部を含めた塗布具の長さは短くなり、キャップを外した時はキャップ部を含めた塗布具の長さは長くなるので、収納時はコンパクトで使用時には使い勝手の良い化粧料容器となり、さらに、上記キャップを開閉する時に、キャップを回転させる１つの動作だけで、上記キャップと上記容器本体との係合および係合の解除と、上記塗布具の伸縮という２つの作業を行うことが可能となる。
【００１０】
さらに、上記キャップ部の内面に突起部を設け、上記突起部と係合しロックされる突起部を、上記塗布具の係合部の外面と、上記容器本体に設けることによって、キャップを閉じた時には、上記キャップ部の突起部と上記容器本体の突起部が係合してロックされ、キャップが外れないようになり、上記キャップを外して塗布具を使用する際には、上記キャップ部の突起部と上記塗布具の突起部が係合してロックされ、塗布具が固定されて使用時に塗布具が伸縮しないようになり、使い勝手が向上する。
【００１１】
また、上記容器本体に設けられた開口部に、しごき部をもうけることによって、塗布部にブラシや筆あるいはチップ等を用いた場合に、余分な化粧料を落して適切な寮の化粧料を塗布することが可能となり、また、複数の孔を設けた中蓋を設けることによって、塗布部としてスポンジ等を用いた場合に、化粧料としてパウダータイプの化粧料を用いることができるようになり、様々な種類の化粧料に対応することができる。
【発明を実施するための最良の形態】
【００１２】
本発明を、図を用いて以下に詳細に説明する。図１に示すのが本発明の第1の実施形態の化粧料容器１の断面図であり、（ａ）はキャップ３を閉じた状態の断面図であり、（ｂ）はキャップ３を外した状態の断面図である。
【００１３】
本発明の化粧料容器１は、図１に示すように、化粧料を収容する筒状の容器本体２と、上記容器本体２とネジ係合するキャップ３から構成される。上記キャップ３は、キャップ部４と、上記キャップ部４と上下に移動可能に係合する塗布具５からなり、上記塗布具５は、上記キャップ部４を含めた全長が伸縮可能となっており、上記キャップ３を閉じると上記塗布具５が縮まって上記容器本体２に収納される構造となっている。
【００１４】
上記塗布具５は、円形の底部６と、上記底部６から延伸する軸部８と、上記軸部８の先端に設けられた化粧料を塗布するための塗布部９と、上記底部６の周囲と一体成形された円筒形状の係合部７とからなる。上記係合部７の外面には、上記キャップ部４の内面に螺旋状に設けられた溝１２と係合する突起１０が形成され、内面には上記容器本体２の外面に設けられたネジ１３と係合するネジ１１が形成されている。
【００１５】
本実施形態の化粧料容器１は、上記容器本体２に化粧料としてマスカラ、アイライナー、リップグロス等の液体化粧料を収納するものであり、上記塗布部９としてブラシを用いている。塗布部９としては、ブラシに限定するものではなく、図２（ａ）〜（ｃ）に示すように、筆、チップ、フロッキー等、化粧料の種類に応じて様々な形状を用いることができる。
【００１６】
また、上記容器本体２の開口１４は上記塗布具５を出し入れする場所でもあり、上記キャップ３を外す時に上記塗布具５の塗布部９が通過する際に、上記塗布部９に付着した化粧料を適量に調節するために、上記開口１４にしごき部１８を設ける。
【００１７】
上記キャップ部３の内面に突起部１５を設け、上記塗布具５の係合部７の外面に、上記突起部１５と係合しロックされる突起部１６を、上記容器本体２に、上記突起部１５と係合しロックされる突起部１７を設ける。これにより、上記キャップ３を閉じた状態では、図１（ａ）に示すように、上記突起部１５と上記突起部１７が係合してロックされるので、持ち運ぶ時に上記キャップ３が外れるのを防ぐことができる。また、上記キャップ３を外した時には、図１（ｂ）に示すように、上記突起部１５と上記突起部１６が係合してロックされるので、使用時に塗布具５が伸縮するのを防ぐごとができる。
【００１８】
次に、上記キャップ３の開閉動作について説明する。初めに、キャップ３を取り外す方法について説明する。図１（ａ）に示すような状態から、上記キャップ３をネジ係合を解除する方向に回転させて、上記容器本体２から取り外す。この時、最初に上記キャップ部４の突起部１５と上記容器本体２の突起部１７の係合が解除されて上記キャップ部４と上記容器本体２のロックが外される。
【００１９】
さらに、上記キャップ３を回転させると、上記塗布具５の係合部７の外面の突起１０が上記キャップ部４の溝１２を移動することによって、上記キャップ部４だけが回転しながら上方へと移動する。この時、上記塗布具５と容器本体２の係合は解除されておらず、上記塗布具５は上記容器本体２に挿入されたままの状態である。
【００２０】
上記キャップ部４が最も上方へ移動すると、上記キャップ部４の突起１５が、今度は、上記塗布具５の突起１６と係合することによって、上記塗布具５と上記キャップ部４がロックされ、上記塗布具５が上記キャップ部４に対して最も伸びた状態となる。
【００２１】
そして、さらに上記キャップ３を回転させると、次に、上記キャップ部４と上記塗布具５が上記突起１５と上記突起１６の係合によってロックされていることから一体となって回転しながら上方へと移動し、上記塗布具５の係合部７の外面のネジ１１と上記容器本体２のネジ１３との係合が解除される。
【００２２】
上記塗布具５と上記容器本体２の係合が解除されたら、上記キャップ３の回転を停止し、上記塗布具５を上記容器本体２から引き抜く。このような動作によって、上記キャップ３が上記容器本体２から取り外され、図１（ｂ）の状態となる。
【００２３】
上記キャップ３を取り外した時には、上記塗布部９には化粧料が付着して化粧が行える状態となっている。化粧料の付着量が少ない場合には、再度、上記塗布部９を上記容器本体２に挿入し、化粧料を付着させ、しごき部１８で付着量を調節することもできる。
【００２４】
このように、本発明の化粧料容器１は、キャップ３を回転させる１つの動作だけで、上記キャップ３の上記容器本体２からの取り外しと、上記塗布具５を伸ばすという２つの作業を行うことが可能となる。さらに、上記塗布具５は、上記容器本体２に収納されている時よりも伸びるので、使用時にも使い勝手がよくなる。
【００２５】
次に、上記キャップ３を閉める場合について説明する。上記塗布具５の塗布部９を上記開口１４から上記容器本体２内へと挿入し、上記塗布具５のネジ１１と上記容器本体２のネジ１３が接触したら、上記キャップ３を閉める方向に回転させる。
【００２６】
上記キャップ３の回転により、上記キャップ部４と上記塗布具５が上記突起１５と上記突起１６の係合によってロックされて一体となって回転しながら下方へと移動し、上記塗布具５の係合部７の外面のネジ１１と上記容器本体２のネジ１３とが係合される。
【００２７】
上記塗布具５の係合部７の外面のネジ１１と上記容器本体２のネジ１３との係合が完了すると、上記塗布具５の回転が停止し、上記キャップ部４だけが回転を続け、上記キャップ部４の突起１５と、上記塗布具５の突起１６の係合が解除される。
【００２８】
さらに上記キャップ３を回転させると、上記塗布具５の係合部７の外面の突起１０が上記キャップ部４の溝１２を移動することによって、上記キャップ部４だけが回転しながら下方へと移動する。上記キャップ部４が下方へ移動していくと最後に上記キャップ３の突起部１５と上記容器本体２の突起部１７が係合してロックされ、上記キャップ３の回転を停止し、図１（ａ）の状態となる。
【００２９】
このように、上記キャップ３を閉めるときも、キャップ３を回転させる１つの動作だけで、上記キャップ３と上記容器本体２との係合と、上記塗布具５を縮めるという２つの作業を行うことが可能となる。
【００３０】
さらに、図１に示すように、キャップ部４を含めた塗布具５の長さを大きく変化させることができ、収納時は短くなるので化粧料容器をコンパクトにすることで持ち運びに便利になり、使用時は長くなるので、使い勝手に優れたものとなる。
【００３１】
次に、第２の実施形態の化粧料容器１’について図３を用いて説明する。本実施形態の化粧料容器１’は、パウダータイプの化粧料等を収納するタイプである。
【００３２】
図３に示すように、本実施形態の化粧料容器１’は、第１の実施形態の化粧料容器１と同様に、化粧料を収容する筒状の容器本体２と、上記容器本体２とネジ係合するキャップ３から構成され、上記キャップ３は、キャップ部４と、上記キャップ部４と上下に移動可能に係合する塗布具５からなり、上記塗布具５は、上記キャップ部４を含めた全長が伸縮可能となっており、上記キャップ３を閉じると上記塗布具５が上記容器本体２に収納される構造となっている。
【００３３】
上記塗布具５の構成は、円形の底部６と、上記底部６から延伸する軸部８と、上記軸部８の先に設けられた化粧料を塗布するための塗布部９と、上記底部６の周囲と一体成形された円筒形状の係合部７とからなり、上記係合部７の外面には、上記キャップ部４の内面に螺旋状に設けられた溝１２と係合する突起１０が形成され、内面には上記容器本体２の外面に設けられたネジ１３と係合するネジ１１が形成されている。
【００３４】
本実施形態の化粧料容器１’は、上記容器本体２に化粧料としてパウダータイプの化粧料を収納するものであり、上記塗布部９としてパフを用いている。そのために、上記容器本体２の開口１４に複数の穴１９が開けられた中蓋２０を設ける。これにより、上記穴１９を通して上記容器本体２内の化粧料を上記塗布部９に付着させて化粧を行う。
【００３５】
キャップ３の着脱は、第１の実施形態と同じ手順で行う。上記キャップ３を外す時には、上記キャップ３を回転させると、初めに上記キャップ部４だけが回転して上記キャップ３の突起部１５と上記容器本体２の突起部１７によるロックを解除し、次に、上記キャップ部４だけが回転しながら上方に移動し、上記キャップ部４の突起１５と上記塗布具５の突起１６とを係合させて上記キャップ部４と上記塗布具５をロックさせる。
【００３６】
さらに上記キャップ３を回転させると、上記キャップ部４と上記塗布具５が一体となって回転し、上記塗布具５の係合部７の外面のネジ１１と上記容器本体２のネジ１３との係合を解除する。これにより、塗布具５を使用して化粧することができる状態となる。
【００３７】
上記キャップ３を閉めるときには、上記塗布部９を上記開口１４の中蓋２０に入れて上記塗布具５のネジ１１と上記容器本体２のネジ１３が接触したら、上記キャップ３を閉める方向に回転させる。上記キャップ３の回転により、初めに、上記塗布具５の係合部７の外面のネジ１１と上記容器本体２のネジ１３とが係合され、次に、上記キャップ部４の突起１５と上記塗布具５の突起１６の係合が解除される。
【００３８】
さらに上記キャップ３を回転させると、上記キャップ部４の溝１２に沿って上記塗布具５の係合部７の外面の突起１０が移動し、上記キャップ部４だけが下方へと移動して、最後に上記キャップ３の突起部１５と上記容器本体２の突起部１７が係合してロックされ上記キャップ３の回転を停止し、キャップ３が閉まった状態となる。
【００３９】
このように、本発明の化粧料容器は、塗布部や容器本体の開口の形状を変更することによって、様々な種類の化粧料に対応することができ、幅広い用途に用いることができる。
【図面の簡単な説明】
【００４０】
【図１】本発明の第１の実施形態の化粧料容器の断面図であり、（ａ）はキャップを閉めた状態の断面図、（ｂ）はキャップを外した状態の断面図
【図２】塗布部のバリエーションを示す断面図であり、（ａ）は筆タイプ、（ｂ）はチップタイプ、（ｃ）はフロッキータイプの断面図
【図３】第２の実施形態の化粧料容器の断面図
【符号の説明】
【００４１】
１、１’  化粧料容器
２        容器本体
３        キャップ
４        キャップ部
５        塗布具
６        底部
７        係合部
８        軸部
９        塗布部
１０      突起
１１      ネジ
１２      溝
１３      ネジ
１４      開口
１５      突起部
１６      突起部
１７      突起部
１８      しごき部
１９      穴
２０      中蓋
【図１】
2010088516.tif 000003
【図２】
2010088516.tif 000004
【図３】
2010088516.tif 000005